(57)【要約】  【課題】  製造工数的、設備的あるいは製品コストに有利で、汎用性のある清掃用器具を提供する。  【解決手段】  柄部３が連結される扁平な矩形箱状をした保持部５と、この保持部５の下面に取付けられた弾性体２０と、を有する清掃用ヘッド部４を備え、弾性体２０を覆った繊維布製の拭き材６を保持部５に着脱自在に取り付けてなる清掃用器具１において、弾性体２０を、保持部５の下面に着脱自在に取り付けられかつ保持部５と同様の矩形状をした基板部材２１と、基板部材２１の表面から突出されかつ扁平な板状に形成された弾性変形可能な多数の弾性突出片２３と、から構成し、弾性突出片２３を、弾性突出片２３の扁平な面が基板部材２１の長手方向に沿って整列するように配置したことを特徴とする。【選択図】          図１
2012147958.tif 000002
【特許請求の範囲】
【請求項１】
柄部が連結される扁平な矩形箱状をした保持部と、この保持部の下面に取付けられた弾性体と、を有する清掃用ヘッド部を備え、前記弾性体を覆った繊維布製の拭き材を前記保持部に着脱自在に取り付けてなる清掃用器具において、
前記弾性体を、前記保持部の下面に着脱自在に取り付けられかつ当該保持部と同様の矩形状をした基板部材と、当該基板部材の表面から突出されかつ扁平な板状に形成された弾性変形可能な多数の弾性突出片と、から構成し、前記弾性突出片を、当該弾性突出片の扁平な面が前記基板部材の長手方向に沿って整列するように配置したことを特徴とする清掃用器具。
【請求項２】
前記弾性突出片は、前記保持部の長手方向には等間隔の配置とし、前記保持部の長手方向に直交する方向には千鳥状配置でかつ前後の弾性突出片の一部が重なり合うようにしたことを特徴とする請求項１に記載の清掃用器具。
【請求項３】
前記保持部は、当該保持部の下面であってかつ長手方向の端部に沿って枕状突部が形成され、前記弾性突出片が前記枕状突部より突出するように形成したことを特徴とする請求項１又は２に記載の清掃用器具。
【請求項４】
前記弾性突出片は、前記基板部材と合成樹脂により一体的に成形したことを特徴とする請求項１〜３のいずれかに記載の清掃用器具。
【発明の詳細な説明】
【技術分野】
【０００１】
本発明は、繊維布製の拭き材を清掃用ヘッド部に脱着自在に装着し、床面などの清掃を行なうと共に、箒代わりとしても使用できる清掃用器具に関する。
【背景技術】
【０００２】
従来から清掃用器具として、柄付の清掃用ヘッド部に不織布製の拭き材を脱着自在に取付け、これを床面に沿って移動させることにより床面のゴミや塵を拭き材に付着させて収集する、いわゆる「掃除シート」と称されるものが使用されている。
【０００３】
例えば、下記特許文献１には、清掃用ヘッド部が、扁平な矩形箱状をした柄付の保持部と、この保持部の下面部分に取付けられた弾性体とから構成され、この弾性体の表面に半球状に膨出した凸部を複数形成したものが開示されている。この清掃用器具は、床面あるいは絨毯などの清掃に当り、弾性体の表面を不織布製の拭き材で覆い、清掃用ヘッド部を清掃対象である床面に沿って移動させるとき、この清掃対象の表面が平坦でない場合には弾性体が変形し、あるいは絨毯のように複雑な凹凸状となっている場合には弾性体の表面が長い毛足間に食い込むことにより清掃可能としたものである。
【０００４】
下記特許文献２には、前記特許文献１と略同様の構成を有する清掃用器具であるが、保持部の下面部分に発泡ウレタンからなる板状の弾性体を設け、この弾性体の表面を中凸状に形成すると共に、この表面に極めて多数の小さな凸部（各凸部は直径が１ｍｍ〜２ｍｍ、高さが１．３ｍｍ〜１．８ｍｍ）を形成したものであり、特に、この凸部は、頂部にくぼみを有する半球状凸部とし、このくぼみにより凸部自体が変形容易なものとされており、床面などに対する前後方向への押し引きあるいは左右方向への移動時にも半球状凸部が容易に変形し、表面の不織布製の拭き材との間に隙間を生じさせることなく、清掃が可能となるようにしている。
【先行技術文献】
【特許文献】
【０００５】
【特許文献１】特開平９-１４０６５０号公報
【特許文献２】特許第３０２７３４５号公報
【発明の概要】
【発明が解決しようとする課題】
【０００６】
しかし、特許文献１のように、清掃用ヘッド部に弾性体を設けると、床面などとの接触時に弾性感を生じさせ、また、弾性体と拭き材との間に隙間のないピンと張った状態にすることができ、好ましいが、この弾性体の床面接触側の面がフラットであれば、中央部分の当りが不十分になり、全面が均一に当る清掃ができず、外周部分のみでの清掃となる傾向がある。
【０００７】
特許文献２のように、弾性体を中凸状に形成すれば、このような中央部分の当りが不十分になる点を防止できるが、弾性体成型用の金型などの設備が高価になり、製品コストに不利となる。しかも、弾性体に極めて小さな半球状凸部を多数形成すれば、成形型などがさらにコスト的に不利となることは否めない。
【０００８】
特に、清掃用器具は、一般に使用に当たり多機能を有していると利便性があり、好ましいものであるが、特許文献１のように弾性体に半球状凸部を形成したものでは、細長い隙間などに入り込んだゴミなどを掻き出すことはできず、箒としての使用はできない。また、特許文献２のように、弾性体自体を発泡ウレタンから構成しても、極めて小さな半球状凸部であれば、凸部自体の変形代は小さく、凸部自体が実質的に弾性変形して被清掃用対象に当るということはなく、例えば、清掃対象が傷つき易い部分を有するものや小さな凹凸変形部分のあるものの場合には、実質的に使用することができず、汎用性に乏しいものとなっている。
【０００９】
本発明は、上述した従来技術の課題を解決するためになされたもので、製造工数的、設備的あるいは製品コストに有利で、汎用性のある清掃用器具を提供することを目的とする。
【課題を解決するための手段】
【００１０】
本発明に係る清掃用器具は、柄部が連結される扁平な矩形箱状をした保持部と、この保持部の下面に取付けられた弾性体と、を有する清掃用ヘッド部を備え、前記弾性体を覆った繊維布製の拭き材を前記保持部に着脱自在に取り付けてなる清掃用器具において、前記弾性体を、前記保持部の下面に着脱自在に取り付けられかつ当該保持部と同様の矩形状をした基板部材と、当該基板部材の表面から突出されかつ扁平な板状に形成された弾性変形可能な多数の弾性突出片と、から構成し、前記弾性突出片を、当該弾性突出片の扁平な面が前記基板部材の長手方向に沿って整列するように配置したことを特徴とする。
【発明の効果】
【００１１】
請求項１の発明では、扁平な板状をした弾性変形可能な多数の弾性突出片を基板部材から突出させ、前記弾性突出片を基板部材の長手方向に沿って整列配置したので、繊維布製の拭き材を取付けない場合には、扁平な板状の弾性突出片を利用して細長い隙間などに入り込んだゴミなどを容易に掻き出すことができ、また、弾性突出片自体が弾性変形可能であるため、この点を利用して箒としても使用でき、弾性突出片の突出長を大きくし変形代を大きなものにすれば、被清掃対象が傷つき易い部分や凹凸のあるものであっても容易に清掃することができる。さらに、弾性突出片を覆うように拭き材を取付けると、弾性突出片と拭き材との間に隙間を生じることなく、比較的弾性幅の大きな掃除シートとして使用することができる。したがって、いわゆる「掃除シート」のみでなく箒としても使用でき、汎用性のある清掃用器具となる。しかも、個々の弾性突出片は、扁平な板状という比較的簡単な形状であるため、成形型も安価となり、製造工数的、設備的あるいは製品コストに有利となる。
【００１２】
請求項２の発明では、弾性突出片を、保持部の長手方向には等間隔、長手方向に直交する方向には千鳥状配置でかつ前後の弾性突出片の一部が重なり合うようにしたので、箒として使用する場合には、弾性突出片相互間の隙間からゴミなどが通過するおそれがなく、ごみ収集能力が向上する。
【００１３】
請求項３の発明では、保持部の下面端部に枕状突部を形成し、この枕状突部より突出するように弾性突出片を設けたので、拭き材で覆った場合に弾性突出片との間に隙間を生じることなくピンと張った状態にすることができるのみでなく、拭き材が中高形状に保持され、中央部分の当りが不十分になる傾向が防止され、全面が均一に当る掃除シートとなる。
【００１４】
請求項４の発明では、前記弾性突出片を基板部材と合成樹脂により一体的に成形したので、清掃用ヘッド部から弾性体部分を取り外すと、これを洗うことができ、清潔な清掃用器具として使用することができる。
【図面の簡単な説明】
【００１５】
【図１】本発明に係る清掃用器具を示す概略斜視図である。
【図２】同清掃用器具の清掃用ヘッド部の平面図である。
【図３】図２の３−３線に沿う断面図である。
【図４】図３の４−４線に沿う断面図である。
【図５】同清掃用器具の清掃用ヘッド部を底面側から見た概略斜視図である。
【図６】同清掃用ヘッド部における弾性突出片の配置状態を示す平面図である。
【発明を実施するための形態】
【００１６】
以下、図面に基づいて、本発明の実施の形態を説明する。
【００１７】
本実施形態の清掃用器具１は、図１に示すように、自在継手２を介して柄部３が連結された清掃用ヘッド部４を有している。この清掃用ヘッド部４は、図２に示すように、拭き材６を保持する保持部５と、保持部５の下面に取付けられた弾性体２０（図３参照）と、弾性体２０を覆うように着脱自在に取り付けられた不織布などの繊維布製の拭き材６と、を有している。
【００１８】
保持部５は、図２に示すように、上板７、側板８及び底板９から構成され、合成樹脂製の扁平な矩形箱状をしたもので、上板７には切り込みＫを入れることにより形成された、拭き材６を咬持する咬持部１０（図２参照）が４箇所設けられ、拭き材６の端部が指などにより咬持部１０から内部空間１１内に押し込まれ、弾性体２０を覆うように取り付けられる。
【００１９】
側板８は、図３に示すように、保持部５の長手方向に伸延するように設けられた側板８ａと、この長手方向に直交する方向に伸延するように設けられた側板８ｂと、から構成され、これら両側板８ａ、８ｂと一体的に底板９が設けられている。底板９は、基本的は平坦な板材より構成されているが、保持部５の長手方向側端部には、側板８ａと一体的に形成された枕状突部１２が設けられ、保持部５の長手方向に直交する方向側端部には、図４に示すように、突起部１３が設けられている。
【００２０】
なお、枕状突部１２は、図３に示すように、底板９を越えて突出するように設けられ、拭き材６を取付けたとき、これに当接しきっちりと保持するようになっている。
【００２１】
このように枕状突部１２と突起部１３を底板９に設けると、底板９の下面には平坦な面を有する凹所が形成されることになるので、この凹所内に弾性体２０を取付けている。
【００２２】
特に、本実施形態の弾性体２０は、図３に示すように、底板９の下面に着脱自在に取り付けられ、保持部５と同様の矩形状をしている基板部材２１と、基板部材２１の表面から下方に突出されかつ扁平な板状に形成された弾性変形可能な多数の弾性突出片２３とから構成され、これらは天然ゴムあるいは合成ゴムなどの弾性材料により一体的に構成されている。
【００２３】
基板部材２１は、図３に示すように、上面に突起部材２２が設けられ、底板９に開設された通孔Ｏに突起部材２２を挿通し、突起部材２２の頂部に設けられた大径頭部２２ａが通孔Ｏに係合することにより、底板９に着脱自在に取り付けられている。
【００２４】
弾性突出片２３は、図３〜図６に示すように、個々には扁平な矩形短冊状をしたもので、図６に示すように、保持部５若しくは基板部材２１の長手方向に等間隔に整列配置され、保持部５若しくは基板部材２１の長手方向に直交する方向には千鳥状に整列配置されかつ前後の弾性突出片２３の一部が重なり合うように配置されている。
【００２５】
ここにおいて、本実施形態における基板部材２１及び弾性突出片２３の大きさに関し、これを例示的に示すと、基板部材２１に関しては、図６に示すように、長手方向の長さＬが約２２ｃｍ〜２３ｃｍ、幅Ｗが約７ｃｍ〜８ｃｍであり、個々の弾性突出片２３に関しては、長手方向の長さａが１０ｍｍ、相互間の間隔ｂが５ｍｍ、前記長手方向に直交する方向の間隔ｂが５ｍｍ、肉厚ｔが１ｍｍ、高さＨ（図３参照）が１５ｍｍ、枕状突部１２からの突出長ｈが７ｍｍ程度であり、弾性突出片２３が基板部材２１略全面に均等に配置されている。
【００２６】
次に作用を説明する。
【００２７】
まず、本実施形態の清掃用器具は、いわゆる「掃除シート」として使用することができる。この場合は、清掃用ヘッド部４の弾性体２０の下面側を拭き材６で覆う。例えば、拭き材６の一端部を指などにより把持し、これを咬持部１０内に押し込み、拭き材６の一端部側を清掃用ヘッド部４に固定する。次に、拭き材６の他端部を指などにより把持し、清掃用ヘッド部４の下面から突出している弾性突出片２３を覆い、その他端部を咬持部１０内に押し込み、固定する。
【００２８】
このようにして取り付けられた拭き材６は、る。拭き材６は、長手方向側端部の側板８ａ及び枕状突部１２に沿った状態になり、弾性突出片２３を覆った部分は弾性突出片２３の弾性によりぴんと張った状態となる。したがって、清掃用ヘッド部４を床面に設置すると、弾性が手に伝わり使用感の良いものとなり、これを床面に沿って移動すると、軽快にすべり移動させることができる。特に、拭き材６の長手方向側端部は、枕状突部１２に沿い、弾性突出片２３の下面に至るので、図３に示すように、中高状になり、弾性突出片２３の弾性変形の影響もあって、清掃用ヘッド部４の下面中央部が床面に当らないという状態が生じるおそれはない。
【００２９】
したがって、比較的広いフロアであっても快適に清掃作業を行うことができる。また、弾性突出片２３は、その弾性により拭き材６を保持しているので、拭き材６は大きな弾性を有しているので、比較的傷つき易いものの清掃であっても、問題なく行うことができる。
【００３０】
このようにして清掃が完了すると、清掃用ヘッド部４から拭き材６を取り外すが、このとき、清掃用ヘッド部４から基板部材２１も取り外すと、これを洗浄することもでき、清掃用ヘッド部４全体を清潔に保存できる。
【００３１】
次に、フロアにごみや埃などが存在すれば、清掃用ヘッド部４に拭き材６を取付けず、清掃用ヘッド部４の下面から多数の弾性突出片２３が露出した状態で掃き掃除を行うこともできる。つまり、本実施形態の清掃用器具１を箒として使用することもできる。
【００３２】
清掃用ヘッド部４に拭き材６を取付けず、清掃用ヘッド部４から弾性突出片２３を露出した状態のままであれば、弾性突出片２３が清掃用ヘッド部４の下面から突出しているので、箒代わりとして使用することができる。フロアにごみや埃などの長辺側を利用すれば、比較的広範囲からごみや埃などを集めることができ、この場合、清掃用ヘッド部４では、弾性突出片２３が長手方向に直交する方向に千鳥状配置とされ、前後の弾性突出片２３の一部が重なり合うように配置されているので、弾性突出片２３相互間の隙間からごみや埃などは逃げ出すことなく効率的にごみなどの収集ができる。
【００３３】
また、箒として使用する場合であっても、板敷きのフロアのように板相互間に細長い隙間が存在し、この隙間にゴミなどが入り込んだ状態の場合には、清掃用ヘッド部４の長手方向に直交する方向に配置されている弾性突出片２３を板相互間の隙間に沿って移動させると、この隙間からゴミなどを容易に掻き出すことができる。
【００３４】
本発明は、上述した実施形態のみに限定されるものではなく、本発明の技術的思想内において当業者により種々変更が可能である。例えば、上述した実施形態は、弾性突出片２３が保持部４の長手方向に直交する方向には千鳥状配置でかつ前後の弾性突出片２３の一部が重なり合うように配置されているが、これのみでなく、全ての弾性突出片２３が扁平な面が保持部５の長手方向に沿って配置された状態であっても良い。また、基板部材２１から突出されている弾性突出片２３の突出長さを適宜調節することもでき、長い突出長の弾性突出片２３であれば、箒性能が高く、傷つき易い被清掃対象であっても容易に清掃することができる。さらに、扁平な面が保持部５の長手方向に沿って配置された弾性突出片２３自体にある程度の剛性を付与するために、全てあるいは適数個の弾性突出片２３が支柱を備えた、いわゆる「十」字形状となるように構成しても良い。
【産業上の利用可能性】
【００３５】
本発明は、箒のような掻き出し機能と、いわゆる「掃除シート」のような機能とを備えた清掃用器具して利用できる。
【符号の説明】
【００３６】
３…柄部、
４…清掃用ヘッド部、
５…保持部、
６…拭き材、
１２…枕状突部、
２０…弾性体、
２１…基板部材、
２３…弾性突出片。
【図１】
2012147958.tif 000003
【図２】
2012147958.tif 000004
【図３】
2012147958.tif 000005
【図４】
2012147958.tif 000006
【図５】
2012147958.tif 000007
【図６】
2012147958.tif 000008